(57)【要約】【課題】通常の充填機をそのまま使用して充填組立工程を行えるようにした振出しカートンを提供すること。【解決手段】前面パネル２の上部には天面パネル４との間の折線に左右で重なるとともに中ほどでその折線より下方に突出する形状の破断線αにより指先大の破断領域２ａが区画され、背面パネル３の下辺には短寸の天面内壁パネル５が連設され、その天面内壁パネル５には振出口用の開口６ａを有する短寸の接続パネル６が連設され、接続パネル６にはスライドパネル７が連設されている。前面パネル２の内側に接続パネル６とスライドパネル７を位置させた状態で天面内壁パネル５の外面に天面パネル４を貼り合わせることでブランクをサック貼りし、このサック貼り状態のものを角筒状に起こして左右の側面のいずれか一方を閉じてから、内容物を充填した後、左右の側面のうちの残った方を閉じる。【選択図】図２
2013159364.tif 000002
【特許請求の範囲】
【請求項１】
１枚のブランクを組み立てて形成される直方体形状のカートンであって、そのブランクは、短寸の底面パネルの上辺に長寸の前面パネルが連設されるとともに下辺に長寸の背面パネルが連設され、前面パネルの上辺には短寸の天面パネルが連設され、前面パネルの上部には天面パネルとの間の折線に左右で重なるとともに中ほどでその折線より下方に突出する形状の破断線により指先大の破断領域が区画され、背面パネルの下辺には短寸の天面内壁パネルが連設され、その天面内壁パネルには振出口用の開口を有する短寸の接続パネルが連設され、接続パネルにはスライドパネルが連設され、前面パネルの左辺及び右辺には側面パネルが連設され、背面パネルの左辺及び右辺には側面内壁パネルが連設された展開形状をしており、前面パネルの内側に接続パネルとスライドパネルを位置させた状態で天面内壁パネルの外面に天面パネルを貼り合わせることでそのブランクをサック貼りし、このサック貼り状態のものを角筒状に起こして左右の側面のいずれか一方を閉じてから、内容物を充填した後、左右の側面のうちの残った方を閉じることで組み立てられることを特徴と振出しカートン。
【発明の詳細な説明】
【技術分野】
【０００１】
本発明は、粒状の菓子類を始めとする粒状の内容物を収納し、これを振り出して小出しできる振出しカートンに関するものである。
【背景技術】
【０００２】
一般にこの種の振出しカートンは、カートンの一部をスライドさせることで小さな開口を露出させ、その開口から粒状の内容物を振り出す構造をしている。そして、簡単な構造にして製造コストを下げる観点から、板紙からなる１枚のブランクを組み立てた長方形状のものが多く用いられており、振出口となる開閉可能な開口を形成するものとして種々のタイプのカートンが知られている。
【先行技術文献】
【特許文献】
【０００３】
【特許文献１】特開平６−２７０９７１号公報
【特許文献２】特開平６−２７０９７２号公報
【特許文献３】特開平６−３２１２７０号公報
【特許文献４】特開平７−７６３４１号公報
【特許文献５】特開平８−３４４３３号公報
【発明の概要】
【発明が解決しようとする課題】
【０００４】
上記した従来の振出しカートンは、通常の充填機をそのまま使用して充填組立工程を行うことができない。すなわち、開閉可能な開口を形成しない普通のカートンの場合は、通常の充填機により、サック貼りされたブランクを角筒状に起こし、底部を閉鎖した状態とした後、上方から内容物を投入して上部を閉じる手順で充填組立工程を行うことができるが、上記のような振出しカートンの場合は、底部を形成して内容物を充填した後、開閉可能な開口を形成するための構造を組み込んでから上部を閉鎖しなければならず、このため、手作業で組み立てるか、或いは通常の充填機を改良した特殊な機械で充填組立の工程を行う必要がある。
【０００５】
本発明は、上記のような問題に鑑みてなされたものであり、その目的とするところは、通常の充填機をそのまま使用して充填組立工程を行えるようにした振出しカートンを提供することにある。
【課題を解決するための手段】
【０００６】
上記の目的を達成するため、本発明の振出しカートンは、１枚のブランクを組み立てて形成される直方体形状のカートンであって、そのブランクは、短寸の底面パネルの上辺に長寸の前面パネルが連設されるとともに下辺に長寸の背面パネルが連設され、前面パネルの上辺には短寸の天面パネルが連設され、前面パネルの上部には天面パネルとの間の折線に左右で重なるとともに中ほどでその折線より下方に突出する形状の破断線により指先大の破断領域が区画され、背面パネルの下辺には短寸の天面内壁パネルが連設され、その天面内壁パネルには振出口用の開口を有する短寸の接続パネルが連設され、接続パネルにはスライドパネルが連設され、前面パネルの左辺及び右辺には側面パネルが連設され、背面パネルの左辺及び右辺には側面内壁パネルが連設された展開形状をしており、前面パネルの内側に接続パネルとスライドパネルを位置させた状態で天面内壁パネルの外面に天面パネルを貼り合わせることでそのブランクをサック貼りし、このサック貼り状態のものを角筒状に起こして左右の側面のいずれか一方を閉じてから、内容物を充填した後、左右の側面のうちの残った方を閉じることで組み立てられることを特徴とする。
【発明の効果】
【０００７】
本発明の振出しカートンは、サック貼りしたブランクを角筒状に起こして側面のいずれか一方を閉じてから、内容物を充填した後、側面のうちの残った方を閉じることで組み立てられるので、通常の充填機をそまま使用して充填組立工程を行うことができることから、充填機に改良を加えるなどのコストを掛ける必要がない。
【図面の簡単な説明】
【０００８】
【図１】本発明に係る振出しカートンの一例を示す示す斜視図である。
【図２】図１の振出しカートンを形成するブランクの展開図である。
【図３】図２のブランクをサック貼りした状態で示す表側の平面図である。
【図４】図２のブランクをサック貼りした状態で示す裏側の平面図である。
【図５】図１の振出しカートンを開けた示す斜視図である。
【発明を実施するための形態】
【０００９】
次に、本発明の実施形態について図面を参照しながら詳細に説明する。
【００１０】
図１に示す振出しカートンＣは、紙器用の板紙を打ち抜いて形成された図２に示す展開形状をした１枚ブランクＢを組み立てて形成される。
【００１１】
図２に示すブランクＢにおいて１は短寸の底面パネルであり、その上下辺にそれぞれ折線ａ，ｂを介して長寸の前面パネル２と長寸の背面パネル３が連設されている。前面パネル１の上辺には折線ｃを介して短寸の天面パネル４が連設され、前面パネル２の上部には天面パネル４との間の折線ｃに左右で重なるとともに中ほどで折線ｃより下方に突出する半円形状の破断線αにより指先大の破断領域２ａが区画されている。また、背面パネル３の下辺には折線ｄを介して短寸の天面内壁パネル５が連設され、その天面内壁パネル５には振出口用の開口６ａを有する短寸の接続パネル６が折線ｅを介して連設され、接続パネル６には折線ｆを介してスライドパネル７が連設されている。
【００１２】
接続パネル６は天面内壁パネル５と略同じ寸法であり、接続パネル６とそれに連設するスライドパネル７とが合わさった縦方向の長さは、前面パネル２の縦方向の長さより僅かに小さいサイズである。したがって、ブランクＢの組立時において、接続パネル６とスライドパネル７は前面パネル２の内側に位置し、かつ前面パネル２が接続パネル６の開口６ａを内側から塞ぐようになっている。また、スライドパネル７の左辺及び右辺にはそれぞれ折線ｇ，ｈ折線を介してガイド片８が連設されている。
【００１３】
前面パネル２にはその左辺及び右辺にそれぞれ折線ｉ，ｊを介して側面パネル９が連設され、背面パネル３にはその左辺及び右辺にそれぞれ折線ｋ，ｌを介して側面内壁パネル１０が連設されている。また、底面パネル１の左辺及び右辺にはそれぞれ折線ｍ，ｎを介して折曲げフラップ１１が連設され、底面内壁パネル５の左辺及び右辺にはそれぞれ折線ｏ，ｐを介して折曲げフラップ１２が連設されている。そして、左右の側面内壁パネル１０における外側端縁には、ブランクＢの組立時において、スライドパネル７のガイド片８を案内するための切欠１０ａが形成されており、左右の折曲げフラップ１２は、開封時に側面から内容物が落ちないように且つ折曲げフラップ１２自身が外れないようにするため、それぞれ図示の如く正三角形の一部を膨らませた形状としている。
【００１４】
上記のブランクＢは、サック貼りしたものをまとめて充填工程に送り、そこで充填機により粒状の内容物を収納した状態で組み立てられる。
【００１５】
ブランクＢをサック貼りする手順は次のようである。まず、天面内壁パネル５を接続パネル６及びスライドパネル７とともに折線ｄのところで背面パネル３に対して折り返す。次いで、前面パネル２を天面パネル４とともに折線ａのところで底面パネル１に対して折り返しながら、天面内壁パネル５の外面に天面パネル４を貼り合わせることで図３及び図４に示すようなサック貼り状態とする。
【００１６】
サック貼り状態のブランクＢは、通常の充填機に掛け、サック貼り状態から角筒状に起こして左右の側面のいずれか一方を閉じてから、粒状の内容物を投入した後、左右の残った方を閉じることで組み立てられ、図１の振出しカートンＣが製造される。側面を閉じる手順は左右いずれも同じである。すなわち、折曲げフラップ１１，１２を内側に折り込んだ後、側面内壁パネル１０を折り曲げ、その上からガイド片８とともに側面パネル９を折り曲げて先端寄りのところで側面内壁パネル１０と貼り合わせる。これにより、側面が閉じられるとともに、ガイド片８は側面パネル９と側面内壁パネル１０の間に位置し、側面内壁パネル１０の切欠１０ａに嵌まり込んだ状態となる。
【００１７】
図１の振出しカートンＣから粒状の内容物を取り出すに際しては、カートンＣを把持した手とは反対側の手の親指で前面パネル２の破断領域２ａを押しながら天面パネル４を引き倒すように力を加え、破断線αのところで開封してそのまま天面パネル４を天面内壁パネル５とともに引き倒すことにより、接続パネル６を介してスライドパネル７を移動させる。これにより、図５に示すように、天面パネル４と接続パネル６が山形に突出し、接続パネル６の開口６ａが露出した状態となる。この時、左右のガイド片８はそれぞれ側面パネル９と側面内壁パネル１０の間にあり、スライドパネル７は所定の範囲内、すなわち図１に示す位置から図５に示す位置まで移動する。また、接続パネル６の左右に連設した折曲げフラップ１２は、山形に突出した天面パネル４と接続パネル６の両サイドに生じる正三角状の開口を塞ぎ、しかも正三角形の一部が膨らんだ形状をしているので外側には飛び出ない状態となる。
【００１８】
したがって、カートンＣを手で把持したままで、内容物を接続パネル６の開口６ａから振り出すことができる。また、内容物を振り出した後は、天面パネル４を天面内壁パネル５とともに押し込み、接続パネル６を介してスライドパネル１２を元の位置に移動させることにより開口６ａを閉じることができる。
【００１９】
上記の振出しカートンＣは、前述した如く、前面パネル２と天面パネル４の境界にある破断線αのところを引き裂いて開封するようになっている。したがって、カートンの一部を破断しない限りは内容物を取り出せないというバージン性を有したものとなる。
【００２０】
以上、本発明を実施するための形態について詳細に説明してきたが、本発明による振出しカートンは、上記の形態に何ら限定されるものではなく、本発明の趣旨を逸脱しない範囲において種々の変更が可能であることは当然のことである。
【符号の説明】
【００２１】
Ｂ  ブランク
Ｃ  振出しカートン
１  底面パネル
２  前面パネル
２ａ  破断領域
３  背面パネル
４  天面パネル
５  天面内壁パネル
６  接続パネル
６ａ  開口
７  スライドパネル
８  ガイド片
９  側面パネル
１０  側面内壁パネル
１０ａ  切欠
１１  折曲げフラップ
１２  折曲げフラップ
ａ〜ｐ  折線
α  破断線
【図１】
2013159364.tif 000003
【図２】
2013159364.tif 000004
【図３】
2013159364.tif 000005
【図４】
2013159364.tif 000006
【図５】
2013159364.tif 000007